(57)【要約】【課題】電子機器における電力の浪費を防止して省電力化を実現する。【解決手段】オーディオ装置１において、スタンバイ時にパソコン３からバスパワーが受信されると、ＵＳＢマイコン１１が起動される。その後、パソコン３においてＮｅｔ  ＭＤ用プログラムが起動されたことを示すデータ、もしくはＮｅｔ  ＭＤデータがパソコン３から受信された際に、ＵＳＢマイコン１１からＭＤユニット１４に起動指示データが送信されることにより、ＭＤユニット１４が起動される。このようにしてＭＤユニット１４が起動された後、パソコン３からバスパワーが受信されなくなると、ＵＳＢマイコン１１からＭＤユニット１４に電力遮断指示データが送信されて、ＭＤユニット１４の動作が停止し、さらにＵＳＢマイコンの動作が停止する。【選択図】          図１
2004227064.tif 000002
【特許請求の範囲】
【請求項１】
インターフェイスを介して外部のコントロール機器及び外部電源と接離自在に接続され、複数の構成部を有する電子機器において、
当該電子機器の電源がＯＦＦの状態において、前記コントロール機器からデータが入力された場合に、当該データを処理する構成部に起動を指示する起動指示データを送信するインターフェイス制御手段を備え、
前記インターフェイス制御手段から前記起動指示データを受信した構成部は、前記外部電源から供給される電力を受け付けて起動することを特徴とする電子機器。
【請求項２】
前記インターフェイス制御手段は、当該電子機器の電源がＯＦＦの状態において、前記コントロール機器から供給される電力により起動することを特徴とする請求項１に記載の電子機器。
【請求項３】
前記インターフェイス制御手段は、前記コントロール機器から供給される電力が停止した場合に、前記起動指示データを送信した構成部に対して前記外部電源から供給される電力を遮断することを指示する電力遮断指示データを送信し、
前記インターフェイス制御手段から前記遮断指示データを受信した構成部は、前記外部電源から供給される電力を遮断して動作を停止することを特徴とする請求項２に記載の電子機器。
【請求項４】
前記コントロール機器に接続されるインターフェイスはＵＳＢインターフェイスであり、前記複数の構成部にはＭＤユニットが含まれ、
前記インターフェイス制御手段は、当該電子機器の電源がＯＦＦの状態において、前記コントロール機器から楽曲データを受信した場合、又は前記コントロール機器において前記ＭＤユニットに係るプログラムが起動されたことを示すデータを前記コントロール機器から受信した場合に、前記ＭＤユニットに前記起動指示データを送信することを特徴とする請求項１〜３の何れか一項に記載の電子機器。
【請求項５】
インターフェイスを介して外部のコントロール機器及び外部電源と接離自在に接続され、複数の構成部を有する電子機器の電源制御方法において、
当該電子機器の電源がＯＦＦの状態において、前記コントロール機器からデータが入力された場合に、当該データを処理する構成部に起動を指示する起動指示データを送信する工程と、
前記インターフェイス制御手段から前記起動指示データを受信した構成部により、前記外部電源から供給される電力を受け付け、当該構成部を起動する工程と、
を含むことを特徴とする電源制御方法。
【発明の詳細な説明】
【０００１】
【発明の属する技術分野】
本発明は、例えばオーディオ装置等の電子機器及びその電源制御方法に関する。
【０００２】
【従来の技術】
パーソナルコンピュータ（以下、「パソコン」という。）等のコントロール機器とプリンタやモデム等の電子機器とを接続するインターフェイスの規格として、ＵＳＢ（Ｕｎｉｖｅｒｓａｌ  Ｓｅｒｉａｌ  Ｂｕｓ）が知られている。このＵＳＢは、一般的にパソコンに導入されているＯＳ（Ｏｐｅｒａｔｉｎｇ  Ｓｙｓｔｅｍ）にてサポートされており、パソコンの電源を投入した状態で電子機器を接続できるホット・プラグ・インや、電子機器を使用するための設定を自動的に実行可能なプラグ・アンド・プレイ等を特徴としている。
【０００３】
従来の電子機器は、コントロール機器とＵＳＢケーブルを介して接続された状態において、コントロール機器側から何らかの処理を実行する指示が入力された際に、電源がＯＦＦの状態（以下、「スタンバイ状態」という。）である場合、電子機器全体の電源をＯＮにした後に指示された処理を実行していた。このような電子機器として、例えば、コントロール機器にＵＳＢ接続された状態において、スタンバイ状態である場合に、ＵＳＢケーブルに内蔵されたＶＢｕｓ（電源ライン）の電力（以下、「バスパワー」という。）を検出した場合に電源を投入する周辺機器が公知である（例えば、特許文献１参照。）。この発明は、コントロール機器からデータが送られてくる可能性がないときには電源の投入を行わないことにより、消費電力を低減している。
【０００４】
【特許文献１】
特開２００２−１０８５１８号公報
【０００５】
【発明が解決しようとする課題】
しかしながら、上記のような従来の電子機器は、スタンバイ状態においてコントロール機器側からバスパワーが入力されると、どの構成部を使用するかに関らず機器全体の電源をＯＮに切り替えていた。すなわち、必要のない構成部にも電源を供給しており、電力を浪費していた。例えば、パソコン等のコントロール機器とオーディオ装置等の電子機器とをＵＳＢケーブルで接続した場合に、以下のような問題があった。パソコンからオーディオ装置にＭＤ（Ｍｉｎｉ  Ｄｉｓｃ）への音楽データの記録を指示した場合に、オーディオ装置は機器全体の電源をＯＮにした上で音楽データをＭＤに記録していたため、オーディオ装置内に設けられたＣＤ（Ｃｏｍｐａｃｔ  Ｄｉｓｃ）部やチューナ部等の必要のない構成部にも電力が供給され、無駄な電力が消費されていた。
【０００６】
そこで、本発明の課題は、電子機器における電力の浪費を防止して消電力化を実現することである。
【０００７】
【課題を解決するための手段】
請求項１に記載の発明は、
インターフェイスを介して外部のコントロール機器及び外部電源と接離自在に接続され、複数の構成部を有する電子機器において、
当該電子機器の電源がＯＦＦの状態において、前記コントロール機器からデータが入力された場合に、当該データを処理する構成部に起動を指示する起動指示データを送信するインターフェイス制御手段を備え、
前記インターフェイス制御手段から前記起動指示データを受信した構成部は、前記外部電源から供給される電力を受け付けて起動することを特徴としている。
【０００８】
請求項２に記載の発明は、請求項１に記載の発明において、
前記インターフェイス制御手段は、当該電子機器の電源がＯＦＦの状態において、前記コントロール機器から供給される電力により起動することを特徴としている。
【０００９】
請求項３に記載の発明は、請求項２に記載の発明において、
前記インターフェイス制御手段は、前記コントロール機器から供給される電力が停止した場合に、前記起動指示データを送信した構成部に対して前記外部電源から供給される電力を遮断することを指示する電力遮断指示データを送信し、
前記インターフェイス制御手段から前記遮断指示データを受信した構成部は、前記外部電源から供給される電力を遮断して動作を停止することを特徴としている。
【００１０】
請求項４に記載の発明は、請求項１〜３の何れか一項に記載の発明において、
前記コントロール機器に接続されるインターフェイスはＵＳＢインターフェイスであり、前記複数の構成部にはＭＤユニットが含まれ、
前記インターフェイス制御手段は、当該電子機器の電源がＯＦＦの状態において、前記コントロール機器から楽曲データを受信した場合、又は前記コントロール機器において前記ＭＤユニットに係るプログラムが起動されたことを示すデータを前記コントロール機器から受信した場合に、前記ＭＤユニットに前記起動指示データを送信することを特徴としている。
【００１１】
請求項５に記載の発明は、
インターフェイスを介して外部のコントロール機器及び外部電源と接離自在に接続され、複数の構成部を有する電子機器の電源制御方法において、
当該電子機器の電源がＯＦＦの状態において、前記コントロール機器からデータが入力された場合に、当該データを処理する構成部に起動を指示する起動指示データを送信する工程と、
前記インターフェイス制御手段から前記起動指示データを受信した構成部により、前記外部電源から供給される電力を受け付け、当該構成部を起動する工程と、
を含むことを特徴としている。
【００１２】
【発明の実施の形態】
以下、図面を参照して、本発明を適用したオーディオシステム１００の一実施の形態について詳細に説明する。
【００１３】
まず、構成を説明する。
図１に、本発明を適用したオーディオシステム１００の機能的構成を示す。図１に示すように、オーディオシステム１００は、オーディオ装置１、ＡＣアダプタ２、及びパソコン３により構成される。なお、オーディオ装置１及びＡＣアダプタ２は、電源ケーブルＥにより接続され、オーディオ装置１及びパソコン３は、ＵＳＢケーブルＣにより接続されている。
【００１４】
オーディオ装置１は、ＵＳＢインターフェイスを備えた電子機器であり、ＵＳＢケーブルを介してパソコン３から受信した制御信号、又はオーディオ装置１の操作部からの入力指示に従って、ＭＤに対する楽曲データの記録や、ＭＤ及びＣＤに記録された楽曲データを再生出力等を行う。
【００１５】
ＡＣアダプタ２は、オーディオ装置１に電源ケーブルＥを介して接続されてオーディオ装置１に電力を供給する外部電源である。
【００１６】
パソコン３は、ＵＳＢケーブルＣを介してオーディオ装置１に接続されたコントロール機器であり、オーディオ装置１に各種制御信号を送信して音声の再生出力処理等を実行させる。例えば、パソコン３は、オーディオ装置１とＵＳＢで接続するインターフェイス規格であるＮｅｔ  ＭＤ（登録商標）用のプログラムを記憶しており、このプログラムを起動した際にオーディオ装置１にＮｅｔ  ＭＤ用プログラムを起動したことを示すデータ（ＡＶＣコマンド）を送信する。また、パソコン３は、Ｎｅｔ  ＭＤ用プログラムを起動した後、インターネット上の音楽配信サービスのサイトから楽曲データ等をユーザの入力指示に従い、ダウンロードする。また、ダウンロードした楽曲データ等をＵＳＢケーブルＣを介してオーディオ装置１に送信し、ＭＤ等の記録メディアにチェックアウト（記録）させたり、再生させる。
【００１７】
ＵＳＢケーブルＣは、ＵＳＢ規格に従って、信号伝送用の２本の通信ライン（Ｄ＋，Ｄ−）と、電源供給用のＶＢｕｓ（電源ライン）及びＧＮＤ（グラウンド）の４本のラインで構成される。ＵＳＢケーブルＣは、オーディオ装置１及びパソコン３を接続して、これらの装置間のデータの送受信を行う。
なお、Ｎｅｔ  ＭＤ用プログラムの起動を示すデータ、及びＭＤに記録するための楽曲データは、上記２本の通信ラインを介してパソコン３からオーディオ装置１に送信される。
【００１８】
以下、オーディオ装置１の各構成部について説明する。
オーディオ装置１は、図１に示すように、ＵＳＢマイコン１１、電源制御部１２、ＭＤユニット１４、ＵＳＢオーディオ１５、セレクタ１６、アンプ１７、スピーカ１８、内部バス１９、操作部２０、オーディオマイコン２１、表示部２２、処理制御部２３、マルチデコードＤＳＰ（Ｄｉｇｉｔａｌ  Ｓｉｇｎａｌ  Ｐｒｏｃｅｓｓｏｒ）２４、ＲＡＭ（Ｒａｎｄｏｍ  Ａｃｃｅｓｓ  Ｍｅｍｏｒｙ）２５、ＲＯＭ（Ｒｅａｄ  Ｏｎｌｙ  Ｍｅｍｏｒｙ）２６、ＣＤユニット２７の各部により構成される。
【００１９】
ＵＳＢマイコン１１は、例えば１チップマイコンからなり、図示しない演算装置、記憶装置、Ｎｅｔ  ＭＤセキュリティー回路等を備えており、ＵＳＢケーブルを介してパソコン３から供給されるバスパワーにより動作する。ここで、Ｎｅｔ  ＭＤセキュリティー回路は、パソコン３とのＮｅｔ  ＭＤ接続時のセキュリティ管理、チェックアウト（記録）時にパソコン３から受信した暗号化された楽曲データの復号化処理等を行う。
また、ＵＳＢマイコン１１は、内蔵の記憶装置内に記憶された各種処理プログラムとの協働により、以下に述べる各種処理を実行する。なお、上記各種処理プログラムには、スタンバイ時電源制御処理を実現するためのスタンバイ時電源制御処理プログラムが含まれる。
【００２０】
また、ＵＳＢマイコン１１は、ＵＳＢ規格に従った通信データの分岐及び収集を行い、ＭＤユニット１４、ＵＳＢオーディオ１５、内部バス１９に接続された各構成部（処理制御部２３〜ＣＤユニット２７）、オーディオマイコン２１の各部とパソコン３との間において、各種データの送受信を行う。例えば、パソコン３から受信したＵＳＢ音声信号及び制御データ（動作指令情報）をオーディオ装置１の各構成部に送信したり、オーディオマイコン２１から供給された制御データ（指示情報等）をパソコン３に送信する。
なお、ＵＳＢマイコン１１に対するバスパワーの供給がなくなったとき、ＵＳＢマイコン１１の動作が停止するように構成してもよく、この場合、このＵＳＢマイコン１１の停止に連動させてＭＤマイコン１４に対する電力を遮断する構成にすることもできる。
【００２１】
電源制御部１２は、オーディオ装置１がスタンバイ状態であるときに、ＭＤマイコン１４から電力供給を要求するデータを受信した場合に、ＡＣアダプタ２から供給される電力のＭＤマイコン１４への入力を開始する。一方、ＵＳＢマイコン１１から電力供給を停止することを指示するデータ（以下、「電力遮断指示データ」という。）を受信した場合に、ＭＤマイコン１４に対する電力の供給を停止する。
この他に、電源制御部１２は、操作部２０からの入力によってオーディオ装置１の電源ＯＮが指示された場合に、オーディオマイコン２１から電源ＯＮの指示を受信し、オーディオ装置１の各構成部に対して電力の供給又は電源供給の停止を行う。
【００２２】
ＭＤユニット１４は、例えば、Ｎｅｔ  ＭＤ規格に準拠した構成部であり、図示しないＭＤユニットマイコン及びＭＤ制御モジュール等を備える。
ＭＤユニットマイコンは、オーディオ装置１の電源がＯＦＦであるときにパソコン３からバスパワーが入力された際に、このバスパワーによって起動する。また、ＵＳＢマイコン１１からＭＤユニット１４全体の起動を指示するデータ（以下、「起動指示データ」という。）が入力されると、電源の供給を要求するデータを電源制御部１２に送信する。すると、電源制御部１２から電力が供給され、ＭＤユニット１４全体が起動する。
ＭＤ制御モジュールは、パソコン３から受信した楽曲データ（例えば、ＰＣＭデータ）等を受信し、復号化して、ＭＤに記録する。その際、ＭＤ制御モジュールは、著作権保護のためのコンテンツハッシュ（楽曲データから一意に求められた特定情報）をパソコン３に送信する。また、ＭＤ制御モジュールは、楽曲データを記録したＭＤを再生し、デコードして得られた音声信号Ａ１を、セレクタ１６を介してアンプ１７等に順次供給する。
【００２３】
ＵＳＢオーディオ１５は、例えば、ＵＳＢ規格に従った通信機能をあわせ持つＣＯＤＥＣ（Ｃｏｄｅｒ／ＤＥＣｏｄｅｒ）用ＩＣ等からなり、ＵＳＢマイコン１１を介してパソコン３から供給されたＵＳＢ音声信号（アイソクロナス転送のフレーム等）を順次取得する。そして、取得したＵＳＢ音声信号をデコードして得られた音声信号Ａ２を、セレクタ１６を介してアンプ１７等に順次供給する。
【００２４】
セレクタ１６は、例えば、３入力１出力のセレクタ回路等からなり、ＭＤユニット１４、ＵＳＢオーディオ１５、及びマルチデコードＤＳＰ２４から供給される音声信号Ａ１〜Ａ３を各々入力し、オーディオマイコン２１から供給される切替信号等に従って、何れか１つの音声信号を選択する。セレクタ１６は、選択した音声信号を、アンプ１７を介してスピーカ１８等に出力する。
【００２５】
アンプ１７は、増幅回路等からなり、セレクタ１６により選択され出力された音声信号を適宜増幅して、スピーカ１８に供給する。
【００２６】
スピーカ１８は、アンプ１７により増幅された音声信号を入力し、入力した音声信号に従って所定の楽曲等を発音する。
【００２７】
内部バス１９は、処理制御部２３と、マルチデコードＤＳＰ２４と、ＲＡＭ２５と、ＲＯＭ２６と、ＣＤユニット２７とを共通路にて接続するバスである。主に、処理制御部２３と、マルチデコードＤＳＰ２４〜ドライブコントローラ２７との間で必要な情報（信号）を伝送する。
【００２８】
操作部２０は、例えば、オーディオ装置１の前面に配置された複数のキースイッチ群からなり、利用者の操作（押下等）に従った指示情報をオーディオマイコン２１に供給する。
【００２９】
オーディオマイコン２１は、例えば１チップマイコンからなり、図示しない演算装置や記憶装置等を備える。オーディオマイコン２１は、その記憶装置内にオーディオ装置１を制御するための各種プログラムを内蔵しており、この各種プログラムと演算装置との協働によりオーディオ装置１の各部を制御する。
【００３０】
オーディオマイコン２１は、ＵＳＢマイコン１１、ＭＤユニット１４、セレクタ１６、及び処理制御部２３等を制御する。具体的には、操作部２０から供給される指示情報や、パソコン３からＵＳＢマイコン１１を介して送られる制御データに従って、処理制御部２３を制御し、ＣＤユニット２７にＣＤを再生させる等の処理を行う。その際、オーディオマイコン２１と処理制御部２３との間では、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）通信にて、マクロコマンド（例えば、ＰＬＡＹやＳＴＯＰ等）が送受信される。この他に、オーディオマイコン２１は、指示情報や制御データに従ってＭＤマイコン１４を制御して、ＭＤの楽曲データを再生や記録等を行う。その際、ＭＤマイコン１４の間でも、ＵＡＲＴ通信にてマクロコマンドが送受信される。また、オーディオマイコン２１は、操作部２０から電源ＯＮ／ＯＦＦの指示入力がなされた場合に、オーディオ装置１の各構成部に対して、電源制御部１２から供給される電力の受付又は遮断を行うことを指示する。ただし、オーディオ装置１がスタンバイ状態のときに、操作部２０から電源ＯＮ指示が入力されない場合には、各構成部の電源のＯＮ／ＯＦＦ制御は、ＵＳＢマイコン１１の管理下におかれる。
【００３１】
表示部２２は、液晶表示パネル等からなり、オーディイオマイコン２１から供給される表示用データに従って、オーディオ装置１の動作状況やパソコン３との接続状態等を示す情報を表示する。
【００３２】
処理制御部２３は、ＣＰＵ（Ｃｅｎｔｒａｌ  Ｐｒｏｃｅｓｓｉｎｇ  Ｕｎｉｔ）等からなり、例えば、ＲＯＭ２６に記憶されたプログラム（ＲＡＭ２５にロードされたプログラム）に従って、マルチデコードＤＳＰ２４やＣＤユニット２７等を制御する。
例えば、処理制御部２３は、ＣＤユニット２７を制御して、オーディオ装置１に装填されたＣＤから所定の音楽フォーマットの楽曲データを読み出し、読み出した楽曲データをマルチデコードＤＳＰ２４に転送することにより楽曲データを再生する。
【００３３】
マルチデコードＤＳＰ２４は、例えば、ＣＤ−ＤＡ（ＣＤ  Ｄｉｇｉｔａｌ  Ａｕｄｉｏ）やＭＰ３（ＭＰＥＧ１  Ａｕｄｉｏ  Ｌａｙｅｒ−３）やＷＭＡ（Ｗｉｎｄｏｗｓ（Ｒ）  Ｍｅｄｉａ  Ａｕｄｉｏ）等の複数の音楽フォーマット（エンコード方式や圧縮方式）に対応し、ＣＤから読み出された楽曲データを適宜デコードし、音声信号Ａ３を生成する。さらに、マルチデコードＤＳＰ２４は、生成した音声信号Ａ３をセレクタ１６に供給する。
【００３４】
ＲＡＭ２５は、例えば、バスクロックに同期して動作するＳＤＲＡＭ（Ｓｙｎｃｈｒｏｎｏｕｓ  Ｄｙｎａｍｉｃ  ＲＡＭ）等からなり、ＲＯＭ２６内に記憶されたプログラムをロードする。また、ＲＡＭ２５は、制御処理部２３がプログラムを実行する際に必要となるワークデータ等を記憶する。
【００３５】
ＲＯＭ２６は、例えば、書換え可能な読出し専用メモリであるフラッシュＲＯＭからなり、処理制御部２３が実行するプログラム等を記憶している。
【００３６】
ＣＤユニット２７は、図示しないＣＤドライブコントローラ及びＣＤドライブユニット等を備えて構成される。
ＣＤドライブコントローラは、例えば、ＡＴＡＰＩ（ＡＴ  Ａｔｔａｃｈｍｅｎｔ  Ｐａｃｋｅｔ  Ｉｎｔｅｒｆａｃｅ）規格のコントローラ等からなり、ＣＤドライブユニットを制御する。すなわち、ＣＤドライブコントローラは、ＣＤドライブユニットに装填されたＣＤから楽曲データを読み出し、読み出した楽曲データをマルチデコードＤＳＰ２４に供給する。
ＣＤドライブユニットは、例えば、ＡＴＡＰＩ規格のＣＤドライブ装置からなり、ＣＤドライブコントローラによって制御され、装填されたＣＤ等を再生する。
なお、ＣＤドライブユニットは、市販された音楽ＣＤだけでなく、ＣＤ−Ｒ（ＣＤ  Ｒｅｃｏｒｄａｂｌｅ）やＣＤ−ＲＷ（ＣＤ  ＲｅＷｒｉｔａｂｌｅ）等も再生可能である。そして、ＣＤ−Ｒ等に記録されたＭＰ３やＷＭＡ等の音楽フォーマットの楽曲データを読み出し、ドライブコントローラ等を介して、マルチデコードＤＳＰ２４に供給する。
【００３７】
次に、動作を説明する。
なお、図２のフローチャートに記述されている各機能を実現するためのプログラムは、読み取り可能なプログラムコードの形態でＵＳＢマイコン１１内に格納されており、ＵＳＢマイコン１１は、このプログラムコードに従った動作を逐次実行する。なお、オーディオ装置１に外部機器と接続するためのインターフェイスを設けることにより、外部機器から供給されるプログラムやデータを利用してオーディオ装置１特有の動作を実行することとしてもよい。
【００３８】
図２に示すスタンバイ時電源制御処理において、まず、オーディオ装置１がスタンバイ状態であるか否かが判別され（ステップＳ１）、スタンバイ状態である場合は（ステップＳ１；ＹＥＳ）、ステップＳ２に移行し、スタンバイ状態ではない、すなわち電源がＯＮである場合には（ステップＳ１；ＮＯ）、本処理が終了する。
【００３９】
次いで、パソコン３からバスパワーを受信しているか否かが判別され（ステップＳ２）、バスパワーを受信している場合は（ステップＳ２；ＹＥＳ）、ステップＳ３に移行し、バスパワーを受信していない場合には（ステップＳ２；ＮＯ）、本処理が終了する。次に、バスパワーによりＵＳＢマイコン１１が起動されて、ＵＳＢ接続が確立したと認識される（ステップＳ３）。
【００４０】
続いて、パソコン３においてＮｅｔ  ＭＤ用プログラムが起動されたことを示すデータ、又はＮｅｔ  ＭＤデータが、パソコン３から受信されたか否かが判別され（ステップＳ４）、受信された場合は（ステップＳ４；ＹＥＳ）、ＭＤユニット１４に起動指示データが送信されてＭＤユニット１４が起動され（ステップＳ５）、ステップＳ６に移行する。一方、Ｎｅｔ  ＭＤ用プログラムの起動を示すデータ及びＮｅｔ  ＭＤデータの何れも受信されない場合には（ステップＳ４；ＮＯ）、ステップＳ６に移行する。
【００４１】
次いで、パソコン３からバスパワーが受信されているか否かが判別され（ステップＳ６）、バスパワーが受信されていない場合は（ステップＳ６；ＮＯ）、ステップＳ４に戻る。一方、パソコン３からバスパワーが受信されている場合には（ステップＳ６；ＹＥＳ）、ＭＤユニット１４に電力遮断指示データが送信されてＭＤユニット１４の動作が停止する（ステップＳ７）。次に、ＵＳＢマイコン１１の電源がＯＦＦとなり（ステップＳ８）、スタンバイジ電源制御処理が終了する。
【００４２】
以上説明したように、オーディオ装置１において、スタンバイ時にパソコン３からバスパワーが受信されると、ＵＳＢマイコン１１が起動される。その後、パソコン３においてＮｅｔ  ＭＤ用プログラムが起動されたことを示すデータ、もしくはＮｅｔ  ＭＤデータがパソコン３から受信された際に、ＵＳＢマイコン１１からＭＤユニット１４に起動指示データが送信されることにより、ＭＤユニット１４が起動される。このようにしてＭＤユニット１４が起動された後、パソコン３からバスパワーが受信されなくなると、ＵＳＢマイコン１１からＭＤユニット１４に電力遮断指示データが送信されて、ＭＤユニット１４の動作が停止し、さらにＵＳＢマイコンの動作が停止する。
【００４３】
したがって、上記実施の形態によれば、オーディオ装置１において、ＭＤユニット１４のみを動作させる必要がある場合に、ＭＤユニット１４のみに外部電源からの電力を供給するため、必要のない他の構成部に電力供給を行わないため、消費電力を低減することができる。特に、ＵＳＢケーブルＣを介して接続されたパソコン３がスタンバイ時においてもオーディオ装置１にバスパワーを送信する機種である場合には、大幅な省電力化が実現可能である。
【００４４】
なお、上記実施の形態では、オーディオ装置１のＭＤユニットを使用する場合を例示して説明したが、ＵＳＢマイコン１１により電源制御できる構成部はこれに限らない。
【００４５】
また、本発明は、上記実施の形態に限定されるものではない。例えば、上記の各実施の形態では、本発明に係る電子機器の一例としてオーディオ装置を例示して説明したが、電子機器の種別はこれに限定されない。本発明に係る電子機器は、ＵＳＢ規格のインターフェイスを備えた機器であればよく、例えば、パソコン等のコントロール機器に接続されるプリンタやモデム等の周辺機器を適用することができる。
【００４６】
この他、本発明を適用したオーディオシステム１００の細部構成、および詳細動作に関しても、本発明の趣旨を逸脱しない範囲で適宜変更可能である。
【００４７】
【発明の効果】
本発明によれば、電子機器における電力の浪費を防止して消電力化を実現することができる。
【図面の簡単な説明】
【図１】本発明の実施の形態に係るオーディオシステムの構成の一例を示すブロック図である。
【図２】本発明の実施の形態に係るスタンバイ時電源制御処理を示すフローチャートである。
【符号の説明】
１    オーディオ装置
２    ＡＣアダプタ
３    パソコン
１１  ＵＳＢマイコン
１２  電源制御部
１４  ＭＤユニット
１５  ＵＳＢオーディオ
１６  セレクタ
１７  アンプ
１８  スピーカ
１９  内部バス
２０  操作部
２１  オーディオマイコン
２２  表示部
２３  処理制御部
２４  マルチデコードＤＳＰ
２５  ＲＡＭ
２６  ＲＯＭ
２７  ＣＤユニット
１００  オーディオシステム
Ｃ    ＵＳＢケーブル
Ｅ    電源ケーブル
【図１】
2004227064.tif 000003
【図２】
2004227064.tif 000004